(57)【要約】【課題】  実質的に広い載置面積を確保することが可能で、しかも、使い勝手が良い遊技機用テーブルを提供する。【解決手段】  平板状で遊技機１０１に対向して固定される固定テーブル２と、平板状の可動テーブル３と、固定テーブル２と可動テーブル３とを連結し、固定テーブル２に対して可動テーブル３を上下動させるリフター４と、を備え、可動テーブル３が下位に位置すると、固定テーブル２と可動テーブル３とが同一水平面上に位置して、連続した一体テーブル５を構成し、可動テーブル３が上位に位置した状態で、固定テーブル２の上に玉箱１１０を載置可能となっている。【選択図】  図１
2015006217.tif 000002
【特許請求の範囲】
【請求項１】
各遊技機の前面に対向して、水平に配設される遊技機用テーブルであって、
平板状で前記遊技機に対向して固定される固定テーブルと、
平板状の可動テーブルと、
前記可動テーブルを前記固定テーブルに対して上下動させる上下動手段と、を備え、
前記固定テーブルの上に玉箱を載置可能となっている、
ことを特徴とする遊技機用テーブル。
【請求項２】
前記可動テーブルは、前記上下動手段を介して固定テーブルに連結されている、
ことを特徴とする請求項１に記載の遊技機用テーブル。
【請求項３】
前記可動テーブルが上位に位置した状態で、前記可動テーブルの平面の全部または一部が前記固定テーブルに重なり、かつ、前記固定テーブルの上に玉箱を載置可能となっている、
ことを特徴とする請求項１または２のいずれか１項に記載の遊技機用テーブル。
【請求項４】
前記可動テーブルが下位に位置すると、前記固定テーブルと前記可動テーブルとが同一水平面上に位置するようになっている、
ことを特徴とする請求項１から３のいずれか１項に記載の遊技機用テーブル。
【請求項５】
前記可動テーブルが下位に位置すると、前記固定テーブルと前記可動テーブルとによって連続した一体テーブルを構成するようになっている、
ことを特徴とする請求項４に記載の遊技機用テーブル。
【請求項６】
前記一体テーブルを構成した状態で、前記遊技機の前面の左右のうち遊技者が操作を行う操作側に、人の出入りを容易にするためのスペースが設けられるようになっている、
ことを特徴とする請求項５に記載の遊技機用テーブル。
【請求項７】
前記可動テーブルが上位に位置した状態で、前記遊技機の前面の左右のうち遊技者が操作を行う操作側に、前記可動テーブルが位置し、前記固定テーブルの反操作側の上方が開放されるようになっている、
ことを特徴とする請求項１から６のいずれか１項に記載の遊技機用テーブル。
【請求項８】
前記可動テーブルの、前記遊技機の前面の左右のうち遊技者が操作を行う操作側に、ペットボトルやコップを含む飲料物容器を載置するための飲料物載置部が設けられている、
ことを特徴とする請求項１から７のいずれか１項に記載の遊技機用テーブル。
【発明の詳細な説明】
【技術分野】
【０００１】
この発明は、遊技機の前面に配設される遊技機用テーブルに関し、特に、各遊技機に対して個別に配設される遊技機用テーブルに関する。
【背景技術】
【０００２】
パチンコ機やパチスロ機などの遊技機は、横並びに複数配置されて遊技機島が構成されている。そして、遊技機島の前面下方に、全遊技機にわたって延びるように棚板が設けられ、この棚板上に遊技者が、玉箱（パチンコ球やメダルを収容する箱）やペットボトル、タバコなどを置けるようになっている。
【０００３】
しかし、棚板が全遊技機にわたって延びるように設けられているため、隣接する遊技機との区切りがなく、隣の遊技者の玉箱やペットボトルなどがはみ出て遊技がしにくい、などという不具合が生じる場合がある。このため、各遊技機に対して個別に棚板を配設した遊技機島が知られている（例えば、特許文献１参照。）。この遊技機島は、平板状の一体の棚板を各遊技機に対応して、遊技者側に突出するように独立して設けたものである。
【先行技術文献】
【特許文献】
【０００４】
【特許文献１】特開平０９−２５３３２０号公報
【発明の概要】
【発明が解決しようとする課題】
【０００５】
ところで、棚板の上には、玉箱やペットボトルなど限られたスペースにいろいろな載置物が置かれ、しかも、玉箱やペットボトルなどを取り上げたり再度置いたりする行為が繰り返して行われるため、棚板の載置面積（物を載せられる有効面積）がより広い方が好ましい。しかしながら、特許文献１の遊技機島では、棚板が一体であるため、広い載置面積を確保するには棚板全体を大きくする必要があり、広い設置スペースを要するばかりでなく、遊技がしにくくなるおそれがある。
【０００６】
また、特許文献１の遊技機島では、棚板が一体であるため、１枚の棚板上に玉箱やペットボトルなどを一緒に置かなければならず、例えば、遊技ホールの店員が玉箱を取り出す際にペットボトルが邪魔になって取り出しにくい、などの問題が生じる。つまり、載置物を区分けして置くことができないため、使い勝手が悪い。
【０００７】
そこでこの発明は、実質的に広い載置面積を確保することが可能で、さらには、使い勝手が良い遊技機用テーブルを提供することを目的とする。
【課題を解決するための手段】
【０００８】
上記課題を解決するために、請求項１に記載の発明は、各遊技機の前面に対向して、水平に配設される遊技機用テーブルであって、平板状で前記遊技機に対向して固定される固定テーブルと、平板状の可動テーブルと、前記可動テーブルを前記固定テーブルに対して上下動させる上下動手段と、を備え、前記固定テーブルの上に玉箱を載置可能となっている、ことを特徴とする。
【０００９】
請求項２に記載の発明は、請求項１に記載の遊技機用テーブルにおいて、前記可動テーブルは、前記上下動手段を介して固定テーブルに連結されている、ことを特徴とする。
【００１０】
請求項３に記載の発明は、請求項１または２に記載の遊技機用テーブルにおいて、前記可動テーブルが上位に位置した状態で、前記可動テーブルの平面の全部または一部が前記固定テーブルに重なり、かつ、前記固定テーブルの上に玉箱を載置可能となっている、ことを特徴とする。
【００１１】
請求項４に記載の発明は、請求項１から３に記載の遊技機用テーブルにおいて、前記可動テーブルが下位に位置すると、前記固定テーブルと前記可動テーブルとが同一水平面上に位置するようになっている、ことを特徴とする。
【００１２】
請求項５に記載の発明は、請求項４に記載の遊技機用テーブルにおいて、前記可動テーブルが下位に位置すると、前記固定テーブルと前記可動テーブルとによって連続した一体テーブルを構成するようになっている、ことを特徴とする。
【００１３】
請求項６に記載の発明は、請求項５に記載の遊技機用テーブルにおいて、前記一体テーブルを構成した状態で、前記遊技機の前面の左右のうち遊技者が操作を行う操作側に、人の出入りを容易にするためのスペースが設けられるようになっている、ことを特徴とする。
【００１４】
請求項７に記載の発明は、請求項１から６に記載の遊技機用テーブルにおいて、前記可動テーブルが上位に位置した状態で、前記遊技機の前面の左右のうち遊技者が操作を行う操作側に、前記可動テーブルが位置し、前記固定テーブルの反操作側の上方が開放されるようになっている、ことを特徴とする。
【００１５】
この発明によれば、可動テーブルを上位に位置させると、可動テーブルが操作側（例えば、右側）に位置し、固定テーブルの反操作側（例えば、左側）の上方が開放される。
【００１６】
請求項８に記載の発明は、請求項１から７に記載の遊技機用テーブルにおいて、前記可動テーブルの、前記遊技機の前面の左右のうち遊技者が操作を行う操作側に、ペットボトルやコップを含む飲料物容器を載置するための飲料物載置部が設けられている、ことを特徴とする。
【発明の効果】
【００１７】
請求項１の発明によれば、固定テーブルと上下動自在な可動テーブルとを有し、固定テーブルと可動テーブルの２段テーブルとなるため、実質的に広い載置面積を確保することが可能となる。また、固定テーブルの上に玉箱を載せられるため、載置物を区分けして置くことができ、使い勝手がよい。すなわち、固定テーブルの上に玉箱を置いて、可動テーブルの上にペットボトルやタバコなどを置くことで、遊技ホールの店員などが玉箱を取り出したり空の玉箱を置いたりする際に、ペットボトルなどが邪魔になる、ということなどがない。
【００１８】
請求項２の発明によれば、可動テーブルが固定テーブルに連結されているため、例えば、固定テーブルを遊技機に設置すれば可動テーブルも設置でき、取り扱いが容易となる。
【００１９】
請求項３の発明によれば、可動テーブルが上位に位置した状態で、可動テーブルの平面の全部または一部が固定テーブルに重なるため、平面上の配設スペースを削減することができる。しかも、固定テーブルの上には玉箱を載せられるため、実質的に広い載置面積を確保することができるとともに、使い勝手がよい。
【００２０】
請求項４の発明によれば、可動テーブルが下位に位置した状態で、固定テーブルと可動テーブルとが同一水平面上に位置するため、同一水平面上でより広い載置面積を確保することが可能となる。
【００２１】
請求項５の発明によれば、可動テーブルが下位に位置した状態で、固定テーブルと可動テーブルとが一体テーブルとなるため、設置スペースを削減することが可能となる。
【００２２】
請求項６の発明によれば、一体テーブルの状態で操作側にスペースが設けられるため、遊技機への着席、離席の際に、隣の遊技者の載置物に接したり、隣の遊技者の邪魔になったりするのを防止・抑制することが可能となる。すなわち、遊技機に対して着席、離席する際に、この遊技機の操作側（その隣の遊技機の反操作側）に人の出入りを容易にするためのスペースが確保されているため、隣の遊技機の載置物に接したりするのを抑制することが可能となる。
【００２３】
請求項７の発明によれば、可動テーブルを上位に位置させると、可動テーブルが操作側に位置し、固定テーブルの反操作側の上方が開放されるため、遊技ホールの店員が反操作側から玉箱を取り出したり空の玉箱を置いたりする際に、作業がしやすい。このため、他の載置物に接したり、遊技者の邪魔になったりするのを防止・抑制することが可能となる。
【００２４】
請求項８の発明によれば、可動テーブルの操作側に飲料物載置部が設けられているため、より使い勝手がよい。すなわち、例えば、右手で遊技機を操作し左手で載置物を持つ場合、ペットボトルが可動テーブルの左側（反操作側）にあると、右側（操作側）にあるタバコなどを左手で取る際に、ペットボトルが邪魔になって、ペットボトルを倒したりするおそれがある。これに対して、ペットボトルが可動テーブルの右側（操作側）に置かれるため、左側（反操作側）にあるタバコなどを左手で容易に取ることができ、ペットボトルを倒したりすることがない。
【図面の簡単な説明】
【００２５】
【図１】この発明の実施の形態に係る遊技機用テーブルを示す斜視図であり、（ａ）は、可動テーブルが最下位に位置する状態を示し、（ｂ）は、可動テーブルが最上位に位置する状態を示す。
【図２】図１の遊技機用テーブルを遊技機に取り付けた状態を示す斜視図である。
【図３】図１の遊技機用テーブルが複数配設された状態を示す平面図である。
【図４】図１の遊技機用テーブルの可動テーブルが最下位に位置する場合の（ａ）平面図と、（ｂ）正面図と、（ｃ）底面図である。
【図５】図１の遊技機用テーブルの可動テーブルが最上位に位置する場合の（ａ）平面図と、（ｂ）正面図と、（ｃ）底面図である。
【図６】図１の遊技機用テーブルの可動テーブルが、（ａ）最下位に位置する状態を示す斜視図と、（ｂ）中位に位置する状態を示す斜視図と、（ｃ）最上位に位置する状態を示す斜視図である。
【図７】図１の遊技機用テーブルにおいて、（ａ）リフトアームがストッパに装着されていない状態を示す図と、（ｂ）リフトアームがストッパに装着された状態を示す図である。
【発明を実施するための形態】
【００２６】
以下、この発明を図示の実施の形態に基づいて説明する。
【００２７】
図１〜図７は、この発明の実施の形態を示し、図１は、この発明の実施の形態に係る遊技機用テーブル１を示す斜視図である。
【００２８】
「遊技機用テーブル１の構成」
この遊技機用テーブル１は、図２、図３に示すように、横並びに複数配設された各遊技機１０１の前面１０１ａに対向して、水平に配設される遊技機用のテーブルであり、主として、固定テーブル２と可動テーブル３とリフター（上下動手段）４とを備えている。ここで、この実施の形態では、図３に示すように、遊技機１０１の前面１０１ａの左右のうち、右側を遊技者Ｍが操作を行う操作側とし、左側を反操作側とする場合について、主として説明する。
【００２９】
「固定テーブル２の構成」
固定テーブル２は、平板状で、遊技機１０１に対向して固定されるテーブルである。具体的には、図４に示すように、平面形状が横長の略長方形で、右側に前縁２ａ（手前側）から後縁２ｂ側（遊技機１０１側）に向かって、切り欠いたように窪んだ逃げ部２ｃが形成され、遊技機１０１に対して人の出入りを容易にするための出入りスペース（スペース）Ｓ１が設けられるようになっている。ここで、逃げ部２ｃの形状、大きさは、固定テーブル２上に所定量の載置物を載せることができ、かつ、出入りスペースＳ１を介して遊技者Ｍが着席、離席しやすいように設定されている。
【００３０】
また、固定テーブル２の略中央部の前縁２ａ側には、前縁２ａから後縁２ｂ側に向かって凹状に窪んだ収容部２ｄが形成され、この収容部２ｄに可動テーブル３が収容（嵌合）されるようになっている。さらに、収容部２ｄの左右側面には、図１に示すように、第１の段差部２１が形成されている。
【００３１】
一方、固定テーブル２の板面の両端部には、ネジ挿入孔２２がそれぞれ２つずつ設けられている。そして、このネジ挿入孔２２にネジを挿入して、例えば、遊技機１０１の前面１０１ａに設けられた取付部材に締め付けることで、遊技機１０１の前面１０１ａに対して、固定テーブル２つまり遊技機用テーブル１を着脱自在に取り付けられるようになっている。
【００３２】
このような固定テーブル２の板面の大きさ、形状は、通常想定される載置物を載せることができるように設定され、さらに、可動テーブル３が最上位（上位）に位置した状態で、図５に示すように、固定テーブル２の上に玉箱１１０を載せられるように設定されている。この際、図示のように、玉箱１１０の底面の一部が収容部２ｄから突出した状態で、玉箱１１０が固定テーブル２の上に安定して載るように、固定テーブル２の形状が設定されている。そして、収容部２ｄから突出した状態で玉箱１１０などを載せられるため、固定テーブル２と可動テーブル３の総面積以上の面積に、実質的に載置物を載せることができるものである。つまり、あたかも載置面積が増加したようになる。
【００３３】
「可動テーブル３の構成」
可動テーブル３は、平板状で、後述するリフター４によって固定テーブル２に対して上下動するテーブルである。具体的には、図４に示すように、平面形状が横長の略長方形で、最下位（下位）に位置した状態で固定テーブル２の収容部２ｄに隙間なく収容されるように、形成されている。また、可動テーブル３の左右側面には、図１に示すように、第２の段差部３１が形成され、収容部２ｄに収容された際に、第１の段差部２１に第２の段差部３１が当接することで、可動テーブル３が収容部２ｄ内に維持されるようになっている。
【００３４】
このような可動テーブル３の板面の大きさ、形状は、通常想定される載置物、例えば、ペットボトルやタバコなどを一緒に載せることができるように設定されている。さらに、可動テーブル３の右側上面に、ペットボトルやコップを含む飲料物容器を載置するための飲料物載置部３２が設けられている。この飲料物載置部３２は、平面形状が円形で、可動テーブル３の厚み方向に窪み、ペットボトルやコップの底部が嵌合するようになっている。
【００３５】
このような可動テーブル３が最下位に位置して収容部２ｄに収容されると、図４に示すように、固定テーブル２と可動テーブル３とが同一水平面上に位置して、隙間なく連続した一体テーブル５が構成されるようになっている。この一体テーブル５は、平面形状が横長の略長方形で、上記のように右側に出入りスペースＳ１が設けられ、中央部が手前に少し突出した形状となっている。
【００３６】
ここで、この実施の形態では、固定テーブル２に逃げ部２ｃを形成することで出入りスペースＳ１を設けているが、固定テーブル２と可動テーブル３とによって連続した逃げ部を形成したり、可動テーブル３のみによって逃げ部を形成したりしてもよい。
【００３７】
「リフター４の構成」
リフター４は、固定テーブル２と可動テーブル３とを連結し、固定テーブル２に対して可動テーブル３を上下動させる機構であり、リフトアーム４１、４２と、ストッパ４３とを備えている。
【００３８】
リフトアーム４１、４２は、図４に示すように、棒材で構成され、略Ｊ字形（釣り針状）に形成されて、固定テーブル２と可動テーブル３とをまたぐように並列して配設されている。すなわち、第１のリフトアーム４１は、逃げ部２ｃ側に配置され、第１の垂直部４１ａの自由端部が固定テーブル２に固定された第１の軸受部材６１によって回転自在に支持され、第２の垂直部４１ｂの自由端部が可動テーブル３に固定された第２の軸受部材６２によって回転自在に支持されている。第２のリフトアーム４２は、第１のリフトアーム４１と並行に反逃げ部２ｃ側に配置され、第１の垂直部４２ａの自由端部が固定テーブル２に固定された第３の軸受部材６３によって回転自在に支持され、第２の垂直部４２ｂの自由端部が可動テーブル３に固定された第４の軸受部材６４によって回転自在に支持されている。
【００３９】
そして、第１の垂直部４１ａ、４２ａを軸にして中央部４１ｃ、４２ｃおよび第２の垂直部４１ｂ、４２ｂが回動することで、可動テーブル３が上下動するようになっている。具体的には、図６（ａ）に示す一体テーブル５の状態から、図６（ｂ）に示すように、可動テーブル３を右側（逃げ部２ｃ側）に持ち上げると、リフトアーム４１、４２が回転して図６（ｃ）に示すように、可動テーブル３が最上位に位置する。また、可動テーブル３が最上位に位置する状態から、図６（ｂ）に示すように、可動テーブル３を左側に持ち下げると、リフトアーム４１、４２が回転して図６（ａ）に示すように、可動テーブル３が固定テーブル２の収容部２ｄに収容されるものである。
【００４０】
ここで、可動テーブル３が上下動する高さ、つまり、リフトアーム４１、４２の中央部４１ｃ、４２ｃの長さは、可動テーブル３が最上位に位置した状態で、可動テーブル３が少なくとも玉箱１１０の高さよりも高い位置となり、固定テーブル２の上に玉箱１１０を載せられるように設定されている。
【００４１】
また、可動テーブル３が最上位に位置した状態で、遊技機１０１の前面１０１ａの右側に可動テーブル３が位置し、固定テーブル２の左側の上方および手前側が開放されるように、リフトアーム４１、４２が配設されている。すなわち、上記のようにして可動テーブル３を右側に持ち上げると、図５（ａ）に示すように、可動テーブル３の板面の一部が固定テーブル２の右側上方に移動して、固定テーブル２の逃げ部２ｃおよび出入りスペースＳ１に重なり、収容部２ｄおよび固定テーブル２の左側上方が開放されるように、リフトアーム４１、４２の形状、配設位置が設定されている。ここで、開放される広さ、つまり可動テーブル３の移動距離は、可動テーブル３が玉箱１１０の高さよりも高く位置し、かつ、固定テーブル２の左側に玉箱１１０の出し入れスペースが確保されて、固定テーブル２に対して玉箱１１０を出し入れしやすいように、設定されている。
【００４２】
ストッパ４３は、可動テーブル３を最上位の位置に維持するためのものであり、固定テーブル２の収容部２ｄの右側部に設けられている。すなわち、ストッパ４３は、図７に示すように、略直方体のブロック状で、収容部２ｄに形成された凹状の収納部２ｅに収納された状態で取り付けられている。このストッパ４３の開放端面には、凹状の装着部４３ａが形成され、この装着部４３ａの対向する上下端面から球状の挟持部材４３１が露出して配設されている。この挟持部材４３１は、バネ（図示せず）によって装着部４３ａ側に押圧されている。
【００４３】
そして、図７（ａ）に示すように、可動テーブル３を持ち上げてバネの押圧力に抗して、第１のリフトアーム４１の中央部４１ｃを装着部４３ａ側に押し込むと、図７（ｂ）に示すように、中央部４１ｃが装着部４３ａ内に挿入されて挟持部材４３１によって挟持された状態となる。これにより、第１のリフトアーム４１の動きがストッパ４３によって仮固定され、可動テーブル３が最上位の位置で維持される。また、この状態からバネの押圧力に抗して、第１のリフトアーム４１の中央部４１ｃを反装着部４３ａ側に押すと、図７（ａ）に示すように、中央部４１ｃが装着部４３ａから抜ける。これにより、第１のリフトアーム４１の仮固定が解除されて、可動テーブル３が上下動自在になるものである。
【００４４】
「遊技機用テーブル１の使用方法」
次に、このような構成の遊技機用テーブル１の作用および使用方法などについて説明する。ここで、図３に示すように、横並びに配設された各遊技機１０１に遊技機用テーブル１が取り付けられ、遊技者Ｍの操作側（右側）がその隣の遊技者Ｍの反操作側（左側）となっている。また、遊技機用テーブル１の右端とその隣の遊技機用テーブル１の左端とには、所定の距離・スペースが設けられている。
【００４５】
まず、遊技者Ｍが遊技機１０１の前に座り、玉箱１１０のみを置く場合や大きな荷物を置く場合、あるいは何も置かない場合などには、図４に示すように、可動テーブル３を収容部２ｄに収容して一体テーブル５として使用する。一方、玉箱１１０の他にペットボトルやタバコなども置く場合には、図５に示すように、第１のリフトアーム４１の動きがストッパ４３によって仮固定されるまで、可動テーブル３を持ち上げて可動テーブル３を最上位の位置にする。そして、玉箱１１０を固定テーブル２の左側に置き、ペットボトルを可動テーブル３の飲料物載置部３２に置き、タバコなどを可動テーブル３の左側に置く。
【００４６】
このようにして遊技機用テーブル１に載置物を載せ、遊技者Ｍが遊技している間に、例えば、玉箱１１０内のパチンコ球などが一杯になった場合、遊技ホールの店員がこの玉箱１１０を取り出して、空の玉箱１１０を固定テーブル２に載せる。この際、店員は、遊技者Ｍの操作の邪魔にならないように、遊技者Ｍつまり遊技機用テーブル１の左側から玉箱１１０の出し入れを行う。そして、固定テーブル２上にはペットボトルなどがなく、しかも、固定テーブル２の左側の上方が開放されているため、玉箱１１０の出し入れがスムーズに行われる。
【００４７】
また、遊技者Ｍがペットボトルやタバコなどを取りたい場合には、遊技機１０１の操作を行っていない左手でペットボトルなどを取る。例えば、タバコを取る場合、ペットボトルが可動テーブル３の右側に置かれ、タバコが左側に置かれているため、スムーズにタバコを取ることができる。また、ペットボトルを取る場合、ペットボトルはタバコなどよりも背が高いため、タバコなどをまたいでスムーズに取ることができる。
【００４８】
一方、この遊技者Ｍ（「第１の遊技者Ｍ１」と言う）が遊技機１０１に対して出入りする場合、隣の遊技者Ｍ（「第２の遊技者Ｍ２」と言う）の操作の邪魔にならないように、第２の遊技者Ｍ２の左側、つまり自分の遊技機用テーブル１の右側から出入りする。このとき、第１の遊技者Ｍ１の遊技機用テーブル１の右側には、出入りスペースＳ１が設けられているため、出入りがスムーズに行われる。
【００４９】
そして、遊技が終わった場合には、載置物を片付け、可動テーブル３を下げて一体テーブル５とする。これにより、可動テーブル３が邪魔にならず、遊技者Ｍはスムーズに離席することができる。
【００５０】
「遊技機用テーブル１による効果」
以上のように、この遊技機用テーブル１によれば、可動テーブル３を最上位に位置させると、固定テーブル２と可動テーブル３の２段テーブルとなるため、実質的に広い載置面積を確保することが可能となる。すなわち、上記のように、あたかも載置面積が増加したようになり、固定テーブル２による下位空間と可動テーブル３による上位空間とを有効に利用して、より多くの載置物を置くことが可能となる。一方、可動テーブル３を最下位に位置させると、固定テーブル２と可動テーブル３とが一体テーブル５となるため、設置スペースを削減することが可能となる。つまり、設置スペースを抑えた上で、実質的に広い載置面積を確保することが可能となる。
【００５１】
また、固定テーブル２と可動テーブル３の２段テーブルとなった状態で、固定テーブル２の上に玉箱１１０を載せられるため、載置物を区分けして置くことができ、使い勝手がよい。すなわち、固定テーブル２の上に玉箱１１０を置いて、可動テーブル３の上にペットボトルやタバコなどを置くことで、遊技者Ｍ自身も玉箱１１０やペットボトルなどの取り扱いがしやすくなる。特に、頻繁に手に取るペットボトルやタバコなどが手前に置かれるため、使い勝手がよい。また、遊技ホールの店員などが玉箱１１０を取り出したり空の玉箱１１０を置いたりする際にも、ペットボトルなどが邪魔になる、ということなどがない。
【００５２】
しかも、可動テーブル３を上位に位置させると、可動テーブル３が右側に位置し、固定テーブル２の左側の上方が開放されるため、遊技ホールの店員が左側から玉箱１１０を取り出したりする際に、作業がしやすい。このため、他の載置物に接したり、遊技者Ｍの操作の邪魔になったりするのをより防止・抑制することが可能となる。
【００５３】
さらに、可動テーブル３の右側に飲料物載置部３２が設けられているため、より使い勝手がよい。すなわち、ペットボトルが可動テーブル３の左側にあると、右側にあるタバコなどを左手で取る際に、ペットボトルが邪魔になって、ペットボトルを倒したりするおそれがあるが、ペットボトルが常に可動テーブル３の右側に置かれるため、左側にあるタバコなどを左手で容易に取ることができ、ペットボトルを倒したりすることがない。
【００５４】
一方、一体テーブル５の状態で右側に出入りスペースＳ１が設けられるため、遊技機１０１への着席、離席の際に、隣の遊技者Ｍの載置物に接したり、隣の遊技者Ｍの邪魔になったりするのを防止・抑制することが可能となる。すなわち、遊技機１０１に対して着席、離席する際に、この遊技機１０１の右側（その隣の遊技機１０１の左側）に人の出入りを容易にするための出入りスペースＳ１が確保されているため、隣の遊技機１０１の載置物に接したりするのを抑制することが可能となる。
【００５５】
また、可動テーブル３が固定テーブル２に連結されているため、例えば、固定テーブル２を遊技機１０１に設置すれば可動テーブル３も設置でき、取り扱いが容易となる。さらに、可動テーブル３が上位に位置した状態で、可動テーブル３の平面の全部または一部が固定テーブル２に重なるため、平面上の配設スペースを削減することができる。しかも、固定テーブル２の上には玉箱１１０を載せられるため、実質的に広い載置面積を確保することができるとともに、使い勝手がよい。一方、可動テーブル３が下位に位置した状態では、固定テーブル２と可動テーブル３とが同一水平面上に位置するため、同一水平面上でより広い載置面積を確保することが可能となる。
【００５６】
また、この遊技機用テーブル１は、ネジ挿入孔２２を介して遊技機１０１に着脱自在なため、遊技機の種類を問うことなく適用することができる。しかも、損傷などした際に個別に取り替えることで、取り替えに要する費用、時間を削減することが可能となる。
【００５７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、飲料物載置部３２が可動テーブル３の厚み方向に窪んだ凹状となっているが、飲料物容器を保持するドリンクホルダで構成してもよい。また、固定テーブル２および可動テーブル３の形状は、上記の形状に限らず、想定される載置物の形状、大きさや設置スペースなどに応じて決定すればよい。同様に、可動テーブル３が一体テーブル５の右側や左側に位置するようにしてもよい。
【００５８】
また、可動テーブル３が最上位と最下位の２段階で止まるようになっているが、３段階で止まるようにしてもよい。さらに、リフトアーム４１、４２の中央部４１ｃ、４２ｃが伸縮することで、可動テーブル３の高さを調整できるようにしてもよい。さらに、可動テーブル３を固定テーブル２の右側に持ち上げるようになっているが、可動テーブル３を固定テーブル２の左側に持ち上げるようにしてもよい。
【００５９】
また、複数の遊技機１０１が横並びに配設された直線島の場合について説明したが、単島や曲線島（Ｒ島）など、島の形状に左右されることなく適用することができる。
【符号の説明】
【００６０】
１        遊技機用テーブル
２        固定テーブル
２ｃ      逃げ部
Ｓ１      出入りスペース（スペース）
３        可動テーブル
３２      飲料物載置部
４        リフター（上下動手段）
４１、４２  リフトアーム
４３      ストッパ
５        一体テーブル
１０１    遊技機
１０１ａ  前面
１１０    玉箱
Ｍ        遊技者
【図１】
2015006217.tif 000003
【図２】
2015006217.tif 000004
【図３】
2015006217.tif 000005
【図４】
2015006217.tif 000006
【図５】
2015006217.tif 000007
【図６】
2015006217.tif 000008
【図７】
2015006217.tif 000009